(57)【要約】【課題】電気集塵装置の放電極の放電線を固定するのに、低騒音で効率的にクサビ止めをおこなうことのできるクサビ打ち装置を提供する。【解決手段】電気集塵装置の放電極の放電線の設置にあたり、放電極の枠部と横パイプに放電線を差し込む放電極穴を穿ち、放電線穴と放電線とをクサビにより固定する工法に用いられるクサビ打ち装置において、クサビを放電線に押し込むシリンダヘッドと、シリンダヘッドを移動させるピストンロッドと、ピストンロッドにピストン運動をさせるジャッキとを有するようにする。シリンダヘッドとピストンロッドは、ハウジング内を移動し、ハウジングは、枠部と横パイプを通す横穴と、枠部と前記横パイプを載せた架台とハウジングを固定させるための固定金具とを備えており、シリンダヘッドの形状は、一回の動作で隣り合う放電線穴のクサビ止めをおこなえるようにする。【選択図】図４
2011206642.tif 000002
【特許請求の範囲】
【請求項１】
電気集塵装置の放電極の放電線の設置にあたり、放電極の枠部と横パイプに放電線を差し込む放電極穴を穿ち、前記放電線穴と放電線とをクサビにより固定する工法に用いられるクサビ打ち装置において、
前記クサビを前記放電線穴に押し込むシリンダヘッドと、
前記シリンダヘッドを移動させるピストンロッドと、
前記ピストンロッドにピストン運動をさせるジャッキとを有することを特徴とするクサビ打ち装置。
【請求項２】
前記シリンダヘッドと前記ピストンロッドは、前記シリンダヘッドと前記ピストンロッドを収納するハウジング内を移動し、前記ハウジングは、前記枠部と前記横パイプを通す横穴と、前記枠部と前記横パイプを載せた架台とハウジングを固定させるための固定金具とを備えることを特徴とする請求項１記載のクサビ打ち装置。
【請求項３】
前記シリンダヘッドは、左右一対のクサビのヘッドを押し込む個所を有し、隣り会う放電線間の放電線穴に差し込まれるクサビを同時に押し込むことを特徴とする請求項１記載のクサビ打ち装置。
【請求項４】
電気集塵装置の放電極の放電線の設置にあたり、放電極の枠部と横パイプに放電線を差し込む放電極穴を穿ち、前記放電線穴と放電線とをクサビにより固定する放電極のクサビ打ち工法において、
前記クサビを前記放電線に押し込むシリンダヘッドと、
前記シリンダヘッドを移動させるピストンロッドと、
前記ピストンロッドにピストン運動をさせるジャッキと、
前記シリンダヘッドと前記ピストンロッドを収納するハウジングとを有するクサビ打ち装置を用いて、前記クサビを前記放電線穴に打ち込む工法であって、
（１）前記放電極を架台に設置する工程と、
（２）前記横パイプの放電線穴に前記放電線を通過させ、各々の放電線をスプリングテンションにより引っ張る工程と、
（３）各々の放電線穴に、前記クサビとスリーブとを差し込む工程と、
（４）前記ハウジングの横穴に、前記枠部または前記横パイプを通し、固定金具により、前記ハウジングと前記架台とを固定する工程と、
（５）前記ジャッキにより前記シリンダヘッドを移動させ、前記シリンダヘッドの左右一対のクサビのヘッドを押し込む個所により、隣り会う放電線間の放電線穴に差し込まれるクサビを同時に押し込む工程とを有することを特徴とする放電極のクサビ打ち工法。
【発明の詳細な説明】
【技術分野】
【０００１】
本発明は、電気集塵装置の放電極のクサビ打ち装置、および、放電極のクサビ打ち工法に係り、特に、電気集塵装置の放電極の放電線の取り付けを低騒音で能率的におこなうのに用いて好適な電気集塵装置の放電極のクサビ打ち装置、および、放電極のクサビ打ち工法に関する。
【背景技術】
【０００２】
火力発電所などの工業プラントに用いられる電気集塵装置は、直流高電圧によってコロナ放電を発生させ、ガス中のダストを帯電させて(放電極部)、この帯電粒子を電界中(電極間)に通過させ、ガスと分離捕集(集塵極部)する装置である。
【０００３】
放電極には、放電線が設置され、高電圧が印加されることにより、集塵極との間に電界を形成し、放電線の周囲のガスを電離してイオンを供給する。ここで、集塵極と放電線の間に煙霧体(ダスト・ミスト)を含むガスを流すと、ガス中に含まれる煙霧体粒子はイオンで帯電する。そして、帯電した煙霧体粒子は、電界によるクーロン力で集塵板に捕集され、ガスは清浄になるというのが電気集塵装置の原理である。
【０００４】
このように電気集塵装置は、多数の集塵極と放電極を対向して形成される。例えば、特許文献１，２には、放電極に取り付ける放電線の取り付け構造が開示されている。
【０００５】
放電極は、火力発電所などの大規模なプラント設備においては、２５０枚から時には、１０００枚以上必要であり、電気集塵装置の設置場所で組み立てている。これは、放電極の枠に、補助部材となるパイプを通して、放電線を張って作成するものである。例えば、横４ｍ、縦６．５ｍの放電極のときは、１９本放電線が張られることになる。また、従来工法として、横パイプに穿った穴に放電線を通して、放電線とその穴の間にクサビとスリーブをいれて、エアハンマーなどの機材によりクサビを打ち込んで固定する工法がある。
【先行技術文献】
【特許文献】
【０００６】
【特許文献１】実開平２−１４７２４７号公報
【特許文献２】実開平３−２６３５５号公報
【発明の概要】
【発明が解決しようとする課題】
【０００７】
上記のように、プラント用の電気集塵装置は、規模が大きく放電極の大きさも大きいために屋外で放電極の組立て作業をすることになる。特に、放電線とその穴の間にクサビとスリーブをいれて、エアハンマーなどの機材によりクサビを打ち込んで固定する工法では、放電線と枠部と横パイプの交点に該当する個所に多くのクサビ打ち作業をしなければならず、その騒音も大きなもの（計測では、１１０ｄＢ程度）になり、騒音に対する環境基準を守ることができないという問題点があった。しかも、エアハンマーによる作業では、クサビの打ち込み量の管理が難しく、作業の効率が悪いという問題点があった。
【０００８】
騒音に対する環境基準を守るため、放電極組立て専用の建屋を建造することも考えられるが、そのための工程も見積もらなければならず、費用対効果を考えても採用できるものではなかった。
【０００９】
本発明は、上記問題点を解決するためになされたもので、その目的は、電気集塵装置の放電極の放電線を固定するのに、低騒音で効率的にクサビ止めをおこなうことのできるクサビ打ち装置を提供することにある。
【課題を解決するための手段】
【００１０】
本発明のクサビ打ち装置は、電気集塵装置の放電極の放電線の設置にあたり、放電極の枠部と横パイプに放電線を差し込む放電極穴を穿ち、放電線穴と放電線とをクサビにより固定する工法に用いられるものである。
【００１１】
このクサビ打ち装置は、クサビを放電線穴に押し込むシリンダヘッドと、シリンダヘッドを移動させるピストンロッドと、ピストンロッドにピストン運動をさせるジャッキとを有するものであり、シリンダヘッドとピストンロッドは、ハウジング内を移動し、ハウジングは、枠部と横パイプを通す横穴と、枠部と前記横パイプを載せた架台とハウジングを固定させるための固定金具とを備えており、シリンダヘッドの形状により、一回の動作で隣り合う放電線穴のクサビ止めを同時におこなうことが可能である。
【発明の効果】
【００１２】
本発明によれば、電気集塵装置の放電極の放電線を固定するのに、低騒音で効率的にクサビ止めをおこなうことのできるクサビ打ち装置を提供することができる。
【図面の簡単な説明】
【００１３】
【図１】放電極の構造を示す図である。
【図２】図１の放電極の放電線に対してクサビ止めをするときの様子を示す図である。
【図３】横パイプの放電線穴の近傍を説明する図である。
【図４】本発明の一実施形態に係るクサビ打ち装置の上面図である。
【図５】本発明の一実施形態に係るクサビ打ち装置の断面図である。
【発明を実施するための形態】
【００１４】
以下、本発明に係る一実施形態を、図１ないし図５を用いて説明する。
【００１５】
先ず、図１ないし図３を用いて本発明の放電線のクサビ止めをおこなう放電極の構造について説明する。
図１は、放電極の構造を示す図である。
図２は、図１の放電極の放電線に対してクサビ止めをするときの様子を示す図である。
図３は、横パイプの放電線穴の近傍を説明する図である。
【００１６】
放電極１００は、図１に示されるように、枠部１０１を有しており、横方向に横パイプ１０２を三段配置しており、それぞれの横パイプ１０２を支持するように、縦パイプ１０３の先端の穴１０３ａに横パイプ１０２が貫通されている。横パイプ１０２には所定の個所に、ほぼ等間隔に、放電線穴１０２ａが穿たれており、組立て時には、各々の放電線穴１０２ａに、一例として断面が角型形状の放電線１１０を通すことになる。放電線穴１０２ａを通る放電線１１０は、後に説明するようにクサビとスリーブにより固定される。この放電極の横辺は、約４ｍ、縦辺は、約６．５ｍである。
【００１７】
放電極の放電線に対してクサビ止めをするときには、図２に示されるように、骨組みにあたる枠部１０１、横パイプ１０２、縦パイプ１０３を支える架台１４０に載せる。そして、放電線１１０の一端を枠部１０１に固定し（図示せず）、放電線１１０を三本の横パイプ１０２の放電線穴１０２ａと、下側の枠部の放電線穴１０２ａに通して、放電線１１０の先端のワッカ１１０ａに、引っ張りビーム１２１に取り付けられたスプリングテンション１２０のフック１２０ａを引っ掛けて引っ張るようにする。
【００１８】
このとき横パイプ１０２の放電線穴１０２ａの近傍Ａの様子は、縦断面から見ると、図３（ａ）のように、クサビ１３０とコの字形のスリーブ１３１が放電線１１０を内部で支えているようにして固定されている。また、図３（ａ）のＢ−Ｂ断面図は、図３（ｂ）のようになる。ここで、放電線１１０の断面は、４ｍｍ四方であり、クサビ１３０とコの字形のスリーブ１３１の長さは、８０ｍｍ程度である。なお、クサビ止めしたあとは、スプリングテンション１２０ははずされて、下部の余分な部分は、ペンチなどにより切断される。
【００１９】
次に、図４および図５を用いて本発明の一実施形態に係るクサビ打ち装置について説明する。
図４は、本発明の一実施形態に係るクサビ打ち装置の上面図である。
図５は、本発明の一実施形態に係るクサビ打ち装置の断面図である。
【００２０】
本実施形態のクサビ打ち装置１は、オイルジャキ３０によりピストンロッド１１を動かし、ハウジング２０の上をシリンダヘッド１０をα方向に移動させて、シリンダヘッド翼部１０ａにより、クサビ１３０を打ち込む装置である。シリンダヘッド１０は、シリンダヘッド翼部１０ａ、シリンダヘッド本体１０ｂ、ピストンロッド接触部１０ｃからなり、シリンダヘッド翼部１０ａがハウジング２０の中空に設けられているスリット２１の中を移動する。シリンダヘッド翼部１０ａの先端は、クサビ１３０のヘッド部分が嵌め合わされるように、外側の最先端部を切り欠いた形状をしており、左右の両シリンダヘッド翼部１０ａでそれぞれの左右のクサビ１３０を放電線穴１０２ａに押し込む。すなわち、このシリンダヘッド１０は、シリンダヘッド翼部１０ａの形状が左右一対のクサビ１３０のヘッドを押し込む形状になっておりし、隣り合う放電線１１０間の放電線穴１０２ａに差し込まれるクサビ１３０を同時に押し込むようになっている。シリンダヘッド本体１０ｂ、ピストンロッド接触部１０ｃは、図５に示されるようにねじ止めされており、オイルジャッキ３０を操作することにより、ピストンロッド１１をβ方向に動かして、ピストンロッド１１のヘッドがピストンロッド接触部１０ｃを押すことにより、シリンダヘッド１０がα方向に動くことになる。オイルジャッキ３０は、チューブ３１により油圧ポンプ（図示せず）と接続されており、油圧の設定値により、クサビの打ち込み量を管理できる。この例では、オイルジャッキをピストンの駆動源として説明したが、騒音が少ない駆動源ならエアジャッキなど他の手段によるものでもよい。
【００２１】
クサビ止めするときには、枠部１０１か横パイプ１０２は、架台１４０の上に乗っている。ハウジング２０には、下向きに開いたコの字型の横穴２２があるので、それに枠部１０１か横パイプ１０２を嵌め込む。ハウジング２０の先端には、固定金具４１が付けられており、軸４２を中心として、旋回可能になっている。枠部１０１か横パイプ１０２を横穴２２に嵌め込んだあと、固定金具４１をγ方向に移動させ、固定金具４１と架台１４０を動かないようしっかりと固定する。これにより、安定的にクサビ打ち動作をおこなうことができる。
【００２２】
また、シリンダヘッド１０を手動で元に戻すときには、ハンドル４３をβ方向とは逆方向に持っていけばよい。また、取手４４は、このクサビ打ち装置を持ち運びするための機構である。
【００２３】
本実施形態のクサビ打ち装置を用いた放電極に放電線を設置する工程は以下の通りである。
【００２４】
先ず、枠部１０１、横パイプ１０２、縦パイプ１０３により放電極１００を組み立てて、架台１４０に設置する。
【００２５】
次に、横パイプ１０２の放電線穴１０２ａに放電線１１０を通過させ、各々の放電線１１０のワッカ１１０ａをスプリングテンション１２０のフック１２０ａにより引っ張る。
【００２６】
次に、各々の放電線穴１０２ａに、クサビ１３０とスリーブ１３１とを差し込み、仮止めする。
【００２７】
次に、クサビ打ち装置のハウジング２０の横穴に、枠部１０１または横パイプ１０２を通し、固定金具４１より、ハウジング２０と架台１４０とを固定する。
【００２８】
そして、オイルジャッキ３０のピストンロッド１１によりシリンダヘッド１０を所定の圧力で押すことにより、シリンダヘッド１０を移動させ、シリンダヘッド１０の左右一対のクサビ１３０のヘッドを押し込む個所により、隣り合う放電線１１０間の放電線穴１３０ａに差し込まれるクサビ１３０を同時に押し込むようにする。
【００２９】
以上のように、本実施形態のクサビ打ち装置は、一回の作業で両隣にあるクサビを一度に止めることができて、効率的に作業がおこなうことができ、しかも、オイルジャッキを用いているため低騒音である。
【符号の説明】
【００３０】
クサビ打ち装置１、オイルジャキ３０、ピストンロッド１１、ハウジング２０、シリンダヘッド１０、シリンダヘッド翼部１０ａ、シリンダヘッド本体１０ｂ、ピストンロッド接触部１０ｃ、ハウジング２０、スリット２１、横穴２２、オイルジャッキ３０、チューブ３１、固定金具４１、軸４２、ハンドル４３、取手４４、
放電極１００、枠部１０１、横パイプ１０２、放電線穴１０２ａ、縦パイプ１０３、先端の穴１０３ａ、放電線１１０、ワッカ１１０ａ、引っ張りビーム１２１、スプリングテンション１２０、フック１２０ａ、クサビ１３０、スリーブ１３１、架台１４０。
【図１】
2011206642.tif 000003
【図２】
2011206642.tif 000004
【図３】
2011206642.tif 000005
【図４】
2011206642.tif 000006
【図５】
2011206642.tif 000007